(57)【特許請求の範囲】
【請求項１】
遊技盤の裏面に設けられた球タンクの下方に設置され、底面と前記遊技盤の裏面側に位置する後側壁と該後側壁と対向する前側壁とによって上面が開口する樋状に形成されていて、前記球タンクのパチンコ球をパチンコ球払出装置へと導くタンクレールであって、前記前側壁の内面にパチンコ球が接触し得る金属板を装着し、該金属板をパチンコ機の導電性部材に接続してアースさせるようにしたことを特徴とするパチンコ機のタンクレール。
【請求項２】
前記金属板を球ならしの支持軸と一体にタンクレールの前側壁にビス止めするようにしたことを特徴とする請求項１記載のパチンコ機のタンクレール。
【発明の詳細な説明】
【０００１】
【産業上の利用分野】
本発明は、球タンクのパチンコ球をパチンコ球払出装置に導くためのタンクレールに関するものである。
【０００２】
【従来の技術】
従来、周知のようにパチンコ機の遊技盤裏面には合成樹脂製の機構板が装着されており、該機構板の上部に球タンクが固着されている。また、球タンクの下方には該球タンクのパチンコ球をパチンコ球払出装置へ導くためのタンクレールが設けられている。
【０００３】
一方、最近ではカードを利用した通称ＣＲ機と呼ばれる電子式パチンコ機が普及しつつあり、パチンコ球払出装置によるパチンコ球の払い出しも電気的制御によって行われている。
【０００４】
【発明が解決しようとする課題】
ところで、球タンクのパチンコ球をパチンコ球払出装置に導くタンクレールは合成樹脂で形成されているため、パチンコ球がタンクレールを流下する際にその内面に接触してその摩擦で静電気が発生し、この静電気が高電圧を発生してパチンコ球払出装置の制御回路を誤動作させてしまうという問題点があった。
【０００５】
また、パチンコ球の滞熱によって合成樹脂製のタンクレールが撓んだり内面に汚れが付着し易くなり、パチンコ球の整流効果が低下したり、円滑な流れが阻害されて球詰りを引起こす等の問題点があった。
【０００６】
本発明は、従来技術の有するこのような問題点にかんがみてなされたものであり、その目的とするところは、静電気によるパチンコ球払出装置の誤動作を防止すると共に、タンクレールの全体強度を高めて円滑にパチンコ球を流下させることができるようなパチンコ機のタンクレールを提供しようとするものである。
【０００７】
【課題を解決するための手段】
上記目的を達成するために、本発明は、遊技盤の裏面に設けられた球タンクのパチンコ球をパチンコ球払出装置に導くタンクレールであって、該タンクレールの内面にパチンコ球が接触し得る金属板を設け、該金属板をパチンコ機の導電性部材に接続してアースさせるようにしたものである。
【０００８】
また前記金属板はタンクレールの撓みを防止するために遊技盤の裏面に当接するタンクレールの後側壁と反対側の前側壁の内面に装着することが好ましい。
【０００９】
さらに、前記金属板は取付作業を簡略化するために球ならしの支持軸と一体にタンクレールの前側壁にビス止めすることが好ましい。
【００１０】
【作用】
上記のように構成されたパチンコ機のタンクレールは、パチンコ球がタンクレールを流下する際にその接触摩擦によって静電気が発生してパチンコ球に滞電してもその滞電した静電気は金属板および導電性部材を介してアースされる。このため、静電気によるパチンコ球払出装置の制御回路の誤動作が防止できる。
【００１１】
また、タンクレールの前側壁の内面に装着した金属板は、パチンコ球の滞熱を効果的に放散してタンクレールの撓みを防止すると共に、全体強度を高めるように機能する。
【００１２】
また、前記金属板を球ならしの支持軸と一体にビス止めすることにより、該金属板をタンクレールに別途にビス止めする必要がなくなり作業性が向上できる。
【００１３】
【実施例】
以下、図面を参照して本発明の一実施例について説明する。図１は本発明に係わるタンクレールが装着されたパチンコ機の裏面図、図２は本発明の一実施例のタンクレールを裏面から見た斜視図、図３はその分解斜視図である。図において、１はパチンコ機の前面枠、２は前面枠１の裏面に着脱自在に取付けられる遊技盤、３は遊技盤２の裏面に開閉自在に装着される合成樹脂製の機構板である。この機構板３の裏面上部には球タンク４が固着されており、該球タンク４の下方にタンクレール５が設けられている。また、タンクレール５の下流端は屈曲レール６を介してパチンコ球払出装置７に接続されており、該パチンコ球払出装置７の下方には払い出されたパチンコ球を機前の打球供給皿（図示せず）に導く排出樋８が設けられている。
【００１４】
前記タンクレール５は図２および図３に示すように合成樹脂により機構板３に当接する後側壁９と底部１０および前側壁１１とにより上面が開口した樋状に形成されると共に、底部１０には長手方向に仕切壁１２を設けて２条の球通路１３ａ，１３ｂが形成されている。１４は球通路１３ａ，１３ｂの上方に設けられる球ならしである。
【００１５】
前記パチンコ球払出装置７は屈曲レール６の最先端のパチンコ球を受ける突条１５を螺旋状に設けたスクリュー部材１６と該スクリュー部材１６を回転するモーター１７と制御回路基板１８とを有し、スクリュー部材１６の回転によって突条１５に受けられているパチンコ球を１個ずつ下方の排出樋８に払い出すものである。
【００１６】
しかして、前記タンクレール５の前側壁１１の内面には導電性の金属板１９が装着される。この金属板１９は折曲部２０，２０によって前側壁１１に仮止めした後、図４に示すように球ならし１４の支持軸２１と一体にねじ２２で前側壁１１に固着される。そして、金属板１９に形成した突出片部２３をタンクレール５の底部１０から下方に突出させ、その突出片部２３にリード線２４の一端をハンダ付け等により接続し、さらにリード線２４の他端をパチンコ機の外枠２５に装着されている導電性部材としての補強金具２６に接続してアースされている。なお、前記仕切壁１２はタンクレール５の上流側において両球通路１３ａ，１３ｂのパチンコ球が合流し、流下するに従い順に一列に整列されるように上流側から下流側に向けて徐々に高くなるように形成されている。
【００１７】
したがって、タンクレール５を流下するパチンコ球が該タンクレール５に接触し、その摩擦によって発生した静電気がパチンコ球に滞電してもその滞電した静電気は金属板１９，リード線２４を介して補強金具２６に流れて除去されるため、静電気によるパチンコ球払出装置１７の制御回路の誤動作を確実に防止できる。なお、導電部材としては例えば遊技盤２の固定金具や機構板３の係止金具等であってもよく、補強金具２６に限定されるものではない。
【００１８】
また、この実施例のようにタンクレール５の前側壁１１の内面に金属板１９を取付けるようにすれば、パチンコ球が滞熱していてもその熱を金属板１９によって効果的に放熱することができると共に、全体強度を高めることができてタンクレール５の撓みを防止することができる。
【００１９】
さらに、金属板１９を球ならし１４の支持軸２１と一体にねじ２２で前側壁１１に固着する構成を採用することによって、金属板１９と球ならし１４の取付けを一挙動で行うことができ、作業能率を高めることができる。
【００２０】
【発明の効果】
以上のように、本発明によれば、球タンクのパチンコ球がタンクレールを流下する際に発生される静電気を簡単な構造で除去することができ、それによってパチンコ球払出装置の制御回路の誤動作が確実に防止できる。
【００２１】
また、タンクレールの全体強度を高めることができると共に、金属板の取付作業を著しく簡略化することができるなどの特有の効果が奏される。
【図面の簡単な説明】
【図１】本発明の一実施例に係わるタンクレールを取付けたパチンコ機の裏面図である。
【図２】本発明の一実施例のタンクレールを裏面から見た斜視図である。
【図３】図２の分解斜視図である。
【図４】図２の要部側面断面図である。
【符号の説明】
２        遊技盤
４        球タンク
５        タンクレール
７        パチンコ球払出装置
９        後側壁
１１      前側壁
１４      球ならし
１９      金属板
２１      支持軸
２２      ねじ
２６      導電性部材（補強金具）
【図１】
0003819052.tif 000002
【図２】
0003819052.tif 000003
【図３】
0003819052.tif 000004
【図４】
0003819052.tif 000005